(57)【要約】      （修正有）【課題】動物がネットから内部のゴミ袋を突っついたり咬んで破ったりすることを防止し、コンパクトに折畳むことを可能とするゴミ集積具を提供する。【解決手段】ゴミ集積具１０は、上部に開口部２２を備え、ゴミ用ネット１４を開口部２２から内部へ収納可能なネット収納容器２０と、３枚以上の複数のパネル３１を連結して地面上のゴミ集積エリアを囲むように配置可能に形成し、かつ、複数のパネル３１を重ね合わせるように折畳み可能に形成した折畳み式パネル３０とを備える。折畳み式パネル３０をネット収納容器２０の側面に連結部材１１を介して連結した構成である。折畳み式パネル３０は、複数のパネル３１の上端から上方へ突出する複数のネット支持シャフト３３を備え、ゴミ集積エリアを囲むように形成した複数のパネル３１に対して、複数のネット支持シャフト３３の上からゴミ用ネット１４を被せ、このゴミ用ネット１４を各ネット支持シャフト３３の上端部で保持可能に形成した。【選択図】図１
0003213234.tif 000002
【実用新案登録請求の範囲】
【請求項１】
上部に開口部を備え、ゴミ用ネットを前記開口部から内部へ収納可能なネット収納容器と、
３枚以上の複数のパネルを連結して地面上のゴミ集積エリアを囲むように配置可能に形成し、かつ、前記複数のパネルを重ね合わせるように折畳み可能に形成した折畳み式パネルと、を備え、
前記折畳み式パネルを前記ネット収納容器の側面に連結部材を介して連結した構成であり、
前記折畳み式パネルは、
複数のパネルの上端から上方へ突出する複数のネット支持シャフトを備え、
ゴミ集積エリアを囲むように形成した複数のパネルに対して、複数の前記ネット支持シャフトの上からゴミ用ネットを被せ、このゴミ用ネットを前記各ネット支持シャフトの上端部で保持可能に形成したことを特徴とするゴミ集積具。
【請求項２】
前記各ネット支持シャフトは、該当するパネルの上部に固定したことを特徴とする請求項１に記載のゴミ集積具。
【請求項３】
前記各ネット支持シャフトは、該当するパネルの上部に着脱可能に形成したことを特徴とする請求項２に記載のゴミ集積具。
【請求項４】
前記各ネット支持シャフトは、該当するパネルの上端から上方へ出没可能に形成したことを特徴とする請求項１に記載のゴミ集積具。
【請求項５】
前記各ネット支持シャフトは、該当するパネルの壁面内に折畳み可能に形成したことを特徴とする請求項４に記載のゴミ集積具。
【請求項６】
前記各ネット支持シャフトは、該当するパネルの上端から上方へ伸縮自在に形成したことを特徴とする請求項４に記載のゴミ集積具。
【請求項７】
前記各ネット支持シャフトは、その上端部に二股形状の突起部を形成したことを特徴とする請求項１〜６のいずれかに記載のゴミ集積具。
【考案の詳細な説明】
【技術分野】
【０００１】
本考案は、カラスや犬猫などの動物によってゴミが周囲に散乱するのを防止すると共に使用しない時は折畳んでおくことを可能とするゴミ集積具を提供する技術に関する。
【背景技術】
【０００２】
一般に家庭で発生したゴミは、ビニール袋などのゴミ袋に入れて地域ごとに設けられたゴミ集積場所に集められる。ゴミ集積場所では、集積されたゴミ袋の全体をネットで覆うことが行われていた。各ゴミ集積場所のゴミは予め指定されたゴミ収集日にゴミ収集業者によって回収される。前記ゴミ収集日までの期間では、ゴミ集積場所のゴミがカラスや犬猫などの動物によって突っつかれたり咬まれて破かれたり外へ引き出されたりして周囲に散乱する事態が生じている。
【０００３】
そこで、上記の事態を防止するために、ゴミ集積具に関する発明や考案が数多くなされている。例えば特許文献１のゴミ収納装置は、基本的に、上端に開口を有する断面四角形状の筒状をなす角筒状フレームと、前記開口を塞ぐ蓋フレームと、から構成される。角筒状フレームは、前面フレーム、後面フレーム、右側面フレーム、左側面フレームによって前後面および左右の側面が構成される。各フレームは矩形状の枠材にネットを張って構成している。右側面フレームおよび左側面フレームは折畳み可能であり、角筒状フレームは前後方向に伸縮可能である。これによって、コンパクトな収納が可能となる。
【０００４】
特許文献２は、基本的には特許文献１に類似しており、左右の側面板と背面板と前部板とで上部に開口を有するボックス形状に展開可能である。前記開口は屋根板にて塞ぐように形成している。さらに、左右の側面板を背面板に重ね合わせるように折畳み可能であり、前部板と屋根板を背面板に向けて折畳み可能である。
【先行技術文献】
【特許文献】
【０００５】
【特許文献１】特開２００９−１１３８８３号公報
【特許文献２】特開２００４−３１５２２２号公報
【考案の概要】
【考案が解決しようとする課題】
【０００６】
特許文献１や特許文献２では、各フレームが頑丈にしかも隙間なく作られている場合、動物によってゴミ袋が咬まれて破れることへの対策となる。しかし、ゴミ収納装置内にゴミ袋が集積されると、ゴミ袋が各フレームのネットに押しつけられた状態になるので、カラスは口ばしをネットの網目から挿入してゴミ袋を突っついて生ゴミ等を引っ張り出してしまう。その結果、ゴミが周囲に散乱することになる。これを防ぐには目の細かい丈夫なネットを用いて枠材に強く張る必要があるので、装置自体がコスト高になる。
【０００７】
また、ゴミ袋を集積する仕方は人々によって種々異なってくる。その中には、ゴミ袋がゴミ収納装置内にいっぱいになっても無理に押し込んで捨てることがあり、しかも蓋フレームが開かないようにしっかりとフックを掛けない場合がある。この場合、ゴミ袋の下からの反発力で蓋フレームが開いてしまうので、動物によってごみが散乱することになる。
【０００８】
本考案はこのような事情に鑑みてなされたものであって、カラスや犬猫などの動物がネットから内部のゴミ袋を突っついたり咬んで破ったりすることを防止すると共に使用しない時はコンパクトに折畳むことを可能とする簡単な構造のゴミ集積具を提供することを目的とする。
【課題を解決するための手段】
【０００９】
請求項１記載の考案は、上部に開口部を備え、ゴミ用ネットを前記開口部から内部へ収納可能なネット収納容器と、３枚以上の複数のパネルを連結して地面上のゴミ集積エリアを囲むように配置可能に形成し、かつ、前記複数のパネルを重ね合わせるように折畳み可能に形成した折畳み式パネルと、を備え、  前記折畳み式パネルを前記ネット収納容器の側面に連結部材を介して連結した構成である。
前記折畳み式パネルは、  複数のパネルの上端から上方へ突出する複数のネット支持シャフトを備え、  ゴミ集積エリアを囲むように形成した複数のパネルに対して、複数の前記ネット支持シャフトの上からゴミ用ネットを被せ、このゴミ用ネットを前記各ネット支持シャフトの上端部で保持可能に形成したことを特徴としている。
【００１０】
請求項２記載の考案は、前記各ネット支持シャフトは、該当するパネルの上部に固定したことを特徴としている。
【００１１】
請求項３記載の考案は、前記各ネット支持シャフトは、該当するパネルの上部に着脱可能に形成したことを特徴としている。
【００１２】
請求項４記載の考案は、前記各ネット支持シャフトは、該当するパネルの上端から上方へ出没可能に形成したことを特徴としている。
【００１３】
請求項５記載の考案は、前記各ネット支持シャフトは、該当するパネルの壁面内に折畳み可能に形成したことを特徴としている。
【００１４】
請求項６記載の考案は、前記各ネット支持シャフトは、該当するパネルの上端から上方へ伸縮自在に形成したことを特徴としている。
【００１５】
請求項７記載の考案は、前記各ネット支持シャフトは、その上端部に二股形状の突起部を形成したことを特徴としている。
【考案の効果】
【００１６】
本考案によれば、ゴミ袋がパネルの上端付近まで集積されても、ゴミ用ネットは複数のネット支持シャフトによってゴミ袋より上方に離れているので、カラスや犬猫がゴミ用ネットに載ってもゴミ袋まで届かない状態となる。ゴミ用ネットは、カラスが載って若干下方へ撓むとしても、複数の各ネット支持シャフトの上端部で保持されているので、ゴミ袋の近くまでずれ落ちることがない。したがって、カラスの口ばしがゴミ袋に届くことはない。さらに、上記のゴミ用ネットの上は、カラスがとまるには不安定な状態であるので、この不安定状態をカラスが学習するようである。この状態が繰り返し続くと、カラスはもはや来なくなる。
【００１７】
また、複数のネット支持シャフトは、ゴミ用ネットを簡単に被せることができ、かつ簡単に取り外すことができるので、使いやすい。また、人々の様々なやり方に左右されることなく安定した状態で、ゴミ用ネットを簡単にきちんと被せることができる。
【００１８】
本考案によれば、従来のゴミ収納装置のように、ネットを強く張った頑丈なフレームを必要とせず、あるいはゴミ袋がネットに接触してもカラスに突っつかれないように細かい網目のネットを使用する必要もないので、構造が簡単であることから安価となる。
【００１９】
また、本考案によれば、ネット支持シャフトがパネルの上部に着脱可能に形成した場合や、パネルの上端から上方へ出没可能に形成した場合は、ゴミ集積具を使用しない時に、複数のネット支持シャフトがパネルの上端から上方へ突出する状態が無くなるので、安全性を向上することに寄与する。
【図面の簡単な説明】
【００２０】
【図１】本考案に係るゴミ集積具を示す斜視図である。
【図２】本考案に係るゴミ集積具を示す斜視図である。
【図３】（ａ）は、ネット支持シャフトがパネルの上端に固定される状態を示す斜視図である。（ｂ）は、ネット支持シャフトの上端部の突起部の形状を示す斜視図である。（ｃ）は、ネット支持シャフトの他の実施形態を示す斜視図である。
【図４】（ａ）は、図１のゴミ集積具の一部の他の実施形態を示す斜視図である。（ｂ）は、（ａ）の部分的な拡大図である。
【図５】本考案に係るゴミ集積具を示す斜視図である。
【図６】（ａ）は、ネット支持シャフトの取付け構造の一例を示す斜視図である。（ｂ）は、（ａ）のネット支持シャフトの取付け構造を示す断面図である。
【図７】ネット支持シャフトの取付け構造の他の例を示す斜視図である。
【考案を実施するための形態】
【００２１】
以下、本考案の実施形態に係るゴミ集積具について図面を参照して説明する。
図１は、複数のパネル３１，３１，・・・を折畳んだ状態のゴミ集積具１０を示す。図２は、複数のパネル３１，３１，・・・を展開した状態のゴミ集積具１０を示す。図３は、ネット支持シャフト３２をパネル３１の上端部に固定する状態を示す。図５は、図２の状態のゴミ集積具１０においてゴミ用ネット１４を複数のネット支持シャフト３３，３３，・・・の上から被せた状態を示す。
【００２２】
本実施形態のゴミ集積具１０は、図１に示すように、ネット収納容器２０と折畳み式パネル３０とを備え、折畳み式パネル３０をネット収納容器２０の側面に連結部材１１を介して連結した構成である。
【００２３】
ネット収納容器２０は、本実施形態では上面が開口した開口部２２を備え、断面がほぼ円形の筒状をなす容器であるが、形状はこの限りではない。容器本体２１は、例えば塩化ビニール樹脂などのように、耐腐食性及び耐久性に富んだ材質であることが望ましい。また、ネット収納容器２０の底部は、例えばコンクリート製で重量物の台座２３を備えており、簡単に転倒しない構造であることが望ましい。
【００２４】
また、ネット収納容器２０は、雨水が開口部２２から内部に入っても外へ流れ出るようにするために、台座２３には上下に貫通する排水孔を形成している。ゴミ用ネット１４は前記開口部２２から容器本体２１の内部へ収納され、あるいは取り出される。
【００２５】
折畳み式パネル３０は、複数のパネル３１，３１，・・・を連結して地面上のゴミ集積エリアを囲むように配置可能に形成している。ゴミ集積エリアを囲むには少なくとも３枚のパネル３１，３１，・・・が必要である。ゴミ集積エリアの大きさにもよるが、通常、８枚あるいは１０枚のパネル３１，３１，・・・が望ましい。
【００２６】
パネル３１は、本実施形態では、樹脂製の板材を基材として、その両面に０．３ｍｍ厚のアルミ材を被覆して構成した複合板である。或いは、逆に、アルミ板材を基材として両面にプラスチック樹脂層で挟んだ複合板としても良いなど、この限りではない。パネル３１は、風雨にさらされても強度が高く、耐久性に富む材料とすることが望ましい。パネル３１のサイズは特に限定されないが、本実施形態では横幅が４５０ｍｍで、高さが６００ｍｍである。
【００２７】
また、複数のパネル３１，３１，・・・は、隣接するパネル３１，３１同士の突合せ側縁を複数のワイヤリング３２，３２，・・・などの連結具によって複数個所で連結し、複数のパネル３１，３１，・・・を重ね合わせるように折畳み可能に形成している。例えば、ワイヤリング３２は、複数のパネル３１，３１，・・・に形成した連結孔３１ａ，３１ａ，・・・の隣同士を連結する。なお、隣接するパネル３１，３１同士を連結する方法は、折畳み可能であればよく、特に限定されない。
【００２８】
さらに、折畳み式パネル３０は、複数のパネル３１，３１，・・・の上端から上方へ突出する複数のネット支持シャフト３３，３３，・・・を備えている。ネット支持シャフト３３は、必ずしもすべてのパネル３１に設ける必要はなく、地面上のゴミ集積エリアを囲むように展開した複数のパネル３１，３１，・・・に対して適当な間隔で配置すればよい。
【００２９】
各ネット支持シャフト３３は、本実施形態では図３（ａ）に示すように、断面円形の棒状のシャフトで形成され、該当するパネル３１の上部にねじ止めなどの固定具３４で固定している。ネット支持シャフト３３の形状や大きさ、及びその固定方法は特に限定されない。前記の固定方法には接着や溶接など他の方法がある。
【００３０】
また、ネット支持シャフト３３の上端部は、その先端方向に向けて長い突起部３５を備えている。しかも、突起部３５はゴミ用ネット１４の網目に挿入可能な太さを有し、ネット支持シャフト３３はゴミ用ネット１４の網目に挿入できない太さに形成することが望ましい。これによってゴミ用ネット１４はネット支持シャフト３３の上端部で簡単に保持される。すなわち、ネット支持シャフト３３はその上端部でゴミ用ネット１４を保持可能に形成している。
【００３１】
また、ゴミ用ネット１４の網目がネット支持シャフト３３の太さより大きい場合は、ゴミ用ネット１４がネット支持シャフト３３の下部へ通過してしまうので、クリップのような何らかの保持具で、ゴミ用ネット１４をネット支持シャフト３３の上端部に留めてもよい。
【００３２】
あるいは、ネット支持シャフト３３の上端部は、図３（ｂ）に示すように、先端方向に向けて二股形状の突起部３５ａを備えてもよい。この二股形状の突起部３５ａは、ゴミ用ネット１４の網目の大きさに関わりなく、ネット支持シャフト３３の上端部でゴミ用ネット１４を保持することができる。したがって、各種の大きさの網目のゴミ用ネット１４を使用することが容易になる。
【００３３】
また、ネット支持シャフト３３は、図３（ｃ）に示すように、断面円形のパイプで形成することができる。このパイプ状のネット支持シャフト３３の内部へ挿入可能な支持プレート３３ａが、パネル３１の上端から上方へ突出して例えば２つのボルト３３ｂ，３３ｂなどの固定具で固定される。ネット支持シャフト３３は支持プレート３３ａを挿入してパネル３１の上端に突き立てる。さらに、ネット支持シャフト３３の下部と支持プレート３３ａを貫通する貫通孔３３ｃを形成し、この貫通孔３３ｃに例えばボルト３３ｄを挿入してネジ止めにて固定する。
このとき、支持プレート３３ａは、両面テープにてパネル３１の所望の位置に貼り付け、パネル３１にも貫通する貫通孔を上下２箇所に形成する。この貫通孔にボルト３３ｂ，３３ｂなどの固定具で固定する。これによって貫通孔の位置決めや穿孔などの作業効率が向上する。
【００３４】
さらに、ネット支持シャフト３３の上端部は、図３（ｃ）に示すように、パイプ状のネット支持シャフト３３の上部に大径の蓋部材３３ｅを被せることができる。この蓋部材３３ｅの上端には前述の突起部３５が取り付けられている。この場合は、蓋部材３３ｅが大径であるので、各種の大きさの網目のゴミ用ネット１４に対応する度合いが大きくなる。突起部３５はゴミ用ネット１４の網目の大きさに合わせてちょうどよい太さの形状とすることができる。なお、突起部３５はゴミ用ネット１４の網目に挿入できる、ほぼ同じ程度の太さとすることが望ましい。
【００３５】
また、各ネット支持シャフト３３は、パネル３１の上部に着脱可能に固定することができる。例えば、図示していないが、ネット支持シャフト３３を挿入可能な穴部を備えたシャフト受け部材をパネル３１の上部に設け、前記シャフト受け部材にはネット支持シャフト３３の下部を着脱可能なロック機構を設けることができる。
【００３６】
また、各ネット支持シャフト３３は、該当するパネル３１の上端から上方へ出没可能に形成することができる。例えば、各ネット支持シャフト３３は、パネル３１の壁面内に折畳み可能に形成することができる。
【００３７】
その一例として、図６（ａ），（ｂ）を参照して詳しく説明すると、ネット支持シャフト３３の下端部は、上下方向に切欠き部３６を形成し、パネル３１の壁面に接触する切欠き面３６ａと、この切欠き面３６ａの上部でパネル３１の上端面に当接する段付き面３６ｂと、を形成している。ネット支持シャフト３３の下部は、切欠き面３６ａに貫通する孔部３７を形成し、この孔部３７に軸部３８を挿入する。軸部３８のフランジ部３８ａとネット支持シャフト３３の下部との間で軸部３８の周りに圧縮スプリング３９を装着する。さらに、前記軸部３８の先端側に形成したネジ部３８ｂがパネル３１に設けたネジ孔３１ｂに螺着し、パネル３１の内面側に突き出たネジ部３８ｂにナット３８ｃで締め付けて軸部３８をロックする。
【００３８】
したがって、ネット支持シャフト３３の下部は、圧縮スプリング３９で常時パネル３１の壁面に押圧するように付勢される。ネット支持シャフト３３がパネル３１の上端から上方へ突出するときは、図６（ａ），（ｂ）に示すように、ネット支持シャフト３３は圧縮スプリング３９の付勢力によって切欠き面３６ａをパネル３１の壁面に接触するように押圧される。また、段付き面３６ｂがパネル３１の上端面に当接した状態となるので、倒れない。
【００３９】
ネット支持シャフト３３がパネル３１の上端より下方へ折畳まれるときは、図６（ａ）の二点鎖線で示すように、ネット支持シャフト３３を圧縮スプリング３９の付勢力に抗して半回転させることで、段付き面３６ｂがパネル３１の上端面から簡単に外れる。ネット支持シャフト３３は圧縮スプリング３９の付勢力によってパネル３１の壁面に押し付けられた状態となる。
【００４０】
また、各ネット支持シャフト３３は、該当するパネル３１の上端から上方へ伸縮自在に形成することができる。
【００４１】
その一例として、図７を参照して詳しく説明すると、パネル３１の上部には、ネット支持シャフト３３を挿入して上下動可能な穴部４１ａを備えたシャフト収納部４１を設ける。さらに、シャフト収納部４１は、上下方向に長いガイド溝部４１ｂを穴部４１ａに貫通するように形成する。シャフト収納部４１に挿入したネット支持シャフト３３の下部は、ガイド溝部４１ｂを通過して外方へ突出する取っ手４２を形成している。なお、ガイド溝部４１ｂは、左右方向に延びる位置決め用溝部４１ｃ，４１ｄ，４１ｅが、上端と下端と上下方向の適宜位置で連通している。
【００４２】
したがって、ネット支持シャフト３３は、図７に示すように、取っ手４２を持ってガイド溝部４１ｂに沿って上下動することができる。取っ手４２を上端の位置決め用溝部４１ｃにてロックすることで、ネット支持シャフト３３は、パネル３１の上端から上方へ突出する。一方、取っ手４２を下端の位置決め用溝部４１ｄにてロックすることで、ネット支持シャフト３３は、パネル３１の上端より下方へ没入する。また、取っ手４２を上下方向の適宜位置の位置決め用溝部４１ｅにてロックすることで、パネル３１の上端から上方へ突出するネット支持シャフト３３の高さを調整することができる。なお、位置決め用溝部４１ｅは、上下方向の適宜位置に何か所も設けることができる。
【００４３】
連結部材１１は、図１に示すように、折畳み式パネル３０が複数のパネル３１，３１，・・・を折畳んだ状態でも、倒れずに立った状態を維持するために、折畳み式パネル３０をネット収納容器２０の側面に連結するものである。
【００４４】
連結部材１１は、本実施形態では図１および図２に示すように、Ｊ字形状を形成しており、Ｊ字形状の一片をネット収納容器２０の側面に固定する。
一方、折畳み式パネル３０は、複数のパネル３１，３１，・・・のうちの一枚のパネル３１の外面側に、連結用筒状部材１２が上下方向に長く伸びるようにして固定されている。連結部材１１のＪ字形状の他片が連結用筒状部材１２に差し込まれるようにして折畳み式パネル３０を連結する。なお、連結部材１１のＪ字形状の他片は、その上部に突起状のストッパ１３を備えている。
【００４５】
したがって、折畳み式パネル３０は、ネット収納容器２０の側面に連結部材１１を介して連結された状態で、一定間隔を上下動できる構成である。しかも、連結部材１１のＪ字形状の他片の上部に設けたストッパ１３によって容易に抜けない構造となっている。これらの構造は、パネル３１の盗難防止効果と積雪寒冷地における凍結防止効果を有している。
【００４６】
また、前述の実施形態では連結部材１１のＪ字形状の他片の上部に突起状のストッパ１３を形成しているが、これに代えて通称「Ｓカン」と称する、リング状のフック部材１５を設けることができる。例えば連結部材１１のＪ字形状の他片の上部に貫通孔１１ａを形成し、この貫通孔１１ａにフック部材１５を連結する。このフック部材１５はストッパの機能を有する。
さらに、フック部材１５にはロープ１６を結び付け、このロープ１６の先端側は折畳んだ複数のパネル３１，３１，・・・の周囲全体を囲むための輪１６ａを形成している。この輪１６ａの大きさは複数のパネル３１，３１，・・・の周囲全体を緩く囲む程度の大きさでよい。折り畳んだ複数のパネル３１，３１，・・・は広がろうとする力があるからである。ロープ１６の輪１６ａは、折り畳んだ複数のパネル３１，３１，・・・の上から被せるようにして複数のパネル３１，３１，・・・の周囲全体を囲む。
【００４７】
したがって、折畳んだ複数のパネル３１，３１，・・・の周囲全体がロープ１６の輪１６ａによって囲まれると、複数のパネル３１，３１，・・・は強風などによってと簡単には飛ばされないようになり、安全性が向上する。
【００４８】
次に、本考案の実施形態のゴミ集積具１０の作用について図面を参照して説明する。
ゴミ集積具１０は、図１に示すように、地域ごとに設けられたゴミ集積場所に設置される。ネット収納容器２０は、コンクリート製で重量物の台座２３を備えているので、風雨にさらされても簡単に転倒しない。使用しない場合は、ゴミ用ネット１４がネット収納容器２０の開口部２２から内部へ収納される。また、折畳み式パネル３０は複数のパネル３１，３１，・・・が折畳まれた状態である。
【００４９】
ゴミ集積具１０が使用される場合、折畳み式パネル３０は、図２に示すように、複数のパネル、すなわち８枚のパネル３１，３１，・・・がゴミ集積エリアを囲むように配置形成される。この時、隣接するパネル３１，３１同士の突合せ側縁がワイヤリング３２，３２，・・・などの連結具によって隙間なく配置される。この実施形態では、６本のネット支持シャフト３３，３３，・・・が該当するパネル３１，３１，・・・の上端から上方へ突出するように固定されており、ゴミ集積エリアを囲むように展開した複数のパネル３１，３１，・・・において適当な間隔で配置されている。
【００５０】
次いで、ネット収納容器２０の開口部２２からゴミ用ネット１４を取り出し、図５に示すように、ゴミ用ネット１４を６本のネット支持シャフト３３，３３，・・・の上から被せる。ゴミ用ネット１４は、ゴミ集積エリアを囲むように配置された８枚のパネル３１，３１，・・・の全体に被さるように配置される。この時、各ネット支持シャフト３３の上端部の突起部３５はゴミ用ネット１４の網目に挿入し、各ネット支持シャフト３３の上端部で簡単に保持された状態となる。
本実施形態では、パネル３１，３１，・・・の上端からネット支持シャフト３３，３３，・・・に保持されたゴミ用ネット１４までの高さが２５０ｍｍである。すなわち、パネル３１，３１，・・・の上部に２５０ｍｍのネット空間が形成される。
ゴミ袋は、ゴミ用ネット１４の一部を持ち上げて隣り合うネット支持シャフト３３，３３の間からパネル３１，３１，・・・のゴミ集積エリア内へ集積される。
【００５１】
したがって、ゴミ集積具１０は、ゴミ袋がパネル３１，３１，・・・の上端付近まで集積されても、ゴミ用ネット１４は６本のネット支持シャフト３３，３３，・・・によってゴミ袋より上方に離れているので、カラスや犬猫などの動物がゴミ用ネット１４に載ってもゴミ袋まで届かない状態となる。
ゴミ用ネット１４は、カラスが載って若干下方へ撓むとしても、６本の各ネット支持シャフト３３，３３，・・・の上端部の突起部３５，３５，・・・で保持されているので、ゴミ袋の近くまでずれ落ちることがない。したがって、カラスの口ばしがゴミ袋に届くことはない。さらに、上記のゴミ用ネット１４の上は、カラスがとまるには不安定な状態であるので、この不安定状態をカラスが学習するようである。この状態が繰り返し続くと、カラスはこれを学習して記憶するためか、もはや来なくなる。
【００５２】
もしネット支持シャフト３３，３３，・・・がなければ、ゴミ用ネット１４はカラスが上に載っただけで撓んでゴミ袋に接触してしまい、ゴミ袋はカラスの口ばしで突っつかれて引っ張り出され、ゴミが散乱することになる。
【００５３】
また、複数のネット支持シャフト３３，３３，・・・は、ゴミ用ネット１４を簡単に被せることができ、かつ簡単に取り外すことができるので、使いやすい。また、人々の様々なやり方に左右されることなく安定した状態で、ゴミ用ネット１４を簡単にきちんと被せることができる。結果として、特にカラスがゴミ袋に近づかないように学習させることができる。
【００５４】
以上のことから、本考案のゴミ集積具１０は、従来のゴミ収納装置のように、ネットを強く張った頑丈なフレームを必要とせず、あるいはゴミ袋がネットに接触してもカラスに突っつかれないように細かい網目のネットを使用する必要もないので、構造が簡単であることから安価となる。
【００５５】
また、ネット支持シャフト３３がパネル３１の上部に着脱可能に形成した場合や、パネル３１の上端から上方へ出没可能に形成した場合は、ゴミ集積具１０を使用しない時に、複数のネット支持シャフト３３，３３，・・・がパネル３１の上端から上方へ突出する状態が無くなるなり、いわゆる突起した物体が露出しないので、安全性を向上することに寄与する。
【産業上の利用可能性】
【００５６】
本考案は、環境衛生の関連事業、土木建築業およびその関連事業などにおいて、利用可能性を有する。
【符号の説明】
【００５７】
１０  ゴミ集積具
１１  連結部材                      １１ａ  貫通孔
１２  連結用筒状部材                １３  ストッパ
１４  ゴミ用ネット                  １５  フック部材
１６  ロープ                        １６ａ  輪
２０  ネット収納容器                ２１  容器本体
２２  開口部                        ２３  台座
３０  折畳み式パネル                ３１  パネル
３１ａ  連結孔                      ３１ｂ  ネジ孔
３２  ワイヤリング（連結具）
３３  ネット支持シャフト            ３３ａ  支持プレート
３３ｂ  ボルト                      ３３ｃ  貫通孔
３３ｄ  ボルト                      ３３ｅ  蓋部材
３４  固定具
３５  突起部                        ３５ａ  二股形状の突起部
３６  切欠き部                      ３６ａ  切欠き面
３６ｂ  段付き面                    ３７  孔部
３８  軸部                          ３８ａ  フランジ部
３８ｂ  ネジ部                      ３８ｃ  ナット
３９  圧縮スプリング
４１  シャフト収納部                ４１ａ  穴部
４１ｂ  ガイド溝部                  ４１ｃ，４１ｄ，４１ｅ  位置決め用溝部
４２  取っ手
【図１】
0003213234.tif 000003
【図２】
0003213234.tif 000004
【図３】
0003213234.tif 000005
【図４】
0003213234.tif 000006
【図５】
0003213234.tif 000007
【図６】
0003213234.tif 000008
【図７】
0003213234.tif 000009